(57)【要約】【課題】  透明ディスプレイとその駆動回路とを含む構成で、所定の設置スペースに対して表示が行われる面積をより大きく確保できる透明ディスプレイ構造体を提供する。【解決手段】  走査電極３とロウドライバＩＣ１２Ａ，１２Ｂとの接続を行う配線用回路基板２４Ａ及び２４Ｂを多層配線基板として構成することで、それらの配置形態を、ＥＬディスプレイ１の設置状態に応じて適宜選択可能とすると共に、ＥＬディスプレイ構造体２１全体の配置面積に対して、ＥＬディスプレイ１により表示が行われる面積をより大きく確保することを可能とする。【選択図】  図１
2005107445.tif 000002
【特許請求の範囲】
【請求項１】
２つの透明電極の間に形成され、それらの電極間に電圧を印加することで発光する発光素子を用いて構成される透明ディスプレイと、
この透明ディスプレイを駆動するため、前記透明電極に駆動電圧を出力する駆動回路と、
前記透明電極と前記駆動回路とを電気的に接続するための配線パターンが引き回される配線用回路基板と備え、
前記駆動回路は複数存在し、夫々が前記透明電極を所定の駆動単位毎に駆動するように構成され、
前記配線用回路基板の少なくとも一部が多層配線基板で構成されていることを特徴とする透明ディスプレイ構造体。
【請求項２】
前記駆動回路が搭載される駆動用回路基板と、前記配線用回路基板との間は、基板対基板用のコネクタによって接続されることを特徴とする請求項１記載の透明ディスプレイ構造体。
【請求項３】
前記駆動回路に対して制御信号を出力する制御回路と、
この制御回路が搭載される制御用回路基板とを備え、
駆動用回路基板と、前記制御用回路基板との間は、可撓性を有する接続体によって電気的に接続されることを特徴とする請求項１又は２記載の透明ディスプレイ構造体。
【請求項４】
前記透明ディスプレイは、同一の透明電極について複数箇所に接続端子が設けられており、前記配線用回路基板との電気的接続を図る箇所が選択可能に構成されていることを特徴とする請求項１乃至３の何れかに記載の透明ディスプレイ構造体。
【請求項５】
請求項１乃至４の何れかに記載の透明ディスプレイ構造体を複数用いて構成され、
各透明ディスプレイ構造体は、前記透明ディスプレイの外周の一部分において、前記配線用回路基板との電気的接続を図るように構成されており、
前記透明ディスプレイにおいて前記配線用回路基板との電気的接続が図られていない部分同士を対向させることで、１表示画面を構成することを特徴とする透明ディスプレイ表示装置。
【請求項６】
前記複数の透明ディスプレイが対向する端面部分をカバーするためのカバー構造を備えることを特徴とする請求項５記載の透明ディスプレイ表示装置。
【請求項７】
前記カバー構造は、ガラスと略同一の屈折率を有する樹脂によって構成されることを特徴とする請求項６記載の透明ディスプレイ表示装置。
【発明の詳細な説明】
【技術分野】
【０００１】
本発明は、透明ディスプレイとその駆動回路とを含む構造に特徴を有する透明ディスプレイ構造体、及びその透明ディスプレイ構造体を複数用いて構成される透明ディスプレイ表示装置に関する。
【背景技術】
【０００２】
特許文献１には、透明ディスプレイとして構成される薄膜ＥＬ表示装置において、透明表示部を構成する透明電極を、その透明表示部の一縁部のみに設けられた接続端子部に接続する構造が開示されている。斯様な構成することで、薄膜ＥＬ表示装置を自動車用の表示器としてフロントガラス内のダッシュボード上に配置する際に、接続端子部が自動車の前方視界を遮ることを極力回避するようにしている。
【特許文献１】特許第２８４８２３６号公報
【発明の開示】
【発明が解決しようとする課題】
【０００３】
ところで、透明ディスプレイを用いた表示器はインテリア性を十分に備えているため、自動車用としてのみならず、例えば店頭や店内における情報提供用の表示器としても用いられ、様々な応用が行われている。従って、夫々の応用形態に適するように、表示器の意匠に多くのバリエーションを付与するためには、表示器としての構造に柔軟性を有していることが望ましい。
【０００４】
即ち、交差する透明電極の間に形成されるＥＬ素子を用いてドットマトリクス表示を行う場合、その透明ディスプレイには多数の透明電極が配置されることになり、その引き回しをどのように行うかが、構造に大きく影響する。そして、特許文献１に開示されている技術は、自動車ダッシュボード上に配置するような応用形態を想定した場合に対する１つの解決策を提示したものである。
【０００５】
しかしながら、透明電極の接続端子を透明表示部の一縁部のみに集中させる構成では、接続を行うための電極の引き回しに多くの面積をとることになり、その結果、透明表示部全体の面積に対して実際に表示が可能な面積が小さくなってしまうという問題がある。そして、「構造の柔軟性」という観点によると、上記表示可能な面積を大きくすることで相対的にその周辺部分の割合を縮小し、所謂絵画の額縁に相当する部分を狭くすることは極めて重要である。
【０００６】
本発明は、上記事情に鑑みて成されたものであり、その目的は、透明ディスプレイとその駆動回路とを含む構成において、所定の設置スペースに対して実質的に表示が行われる面積をより大きく確保することができる透明ディスプレイ構造体、及びその透明ディスプレイ構造体を複数用いて構成される透明ディスプレイ表示装置を提供することにある。
【課題を解決するための手段】
【０００７】
請求項１記載の透明ディスプレイ構造体によれば、透明ディスプレイを駆動する駆動回路が透明電極を所定の駆動単位毎に駆動するように複数存在する場合に、透明電極と各駆動回路とを接続するための配線用回路基板の少なくとも一部を多層配線基板で構成する。斯様に構成すれば、駆動回路及び配線用回路基板の配置形態を透明ディスプレイの設置状態に応じて適宜選択することができるので、構造の柔軟性を向上させることができる。そして、配線用回路基板の少なくとも一部を多層配線基板とすることで当該基板の面積を小さくすることができ、構造体全体の配置面積に対して透明ディスプレイにより表示が行われる面積をより大きく確保することが可能となる。
【０００８】
請求項２記載の透明ディスプレイ構造体によれば、駆動回路が搭載される駆動用回路基板と配線用回路基板との間を基板対基板用のコネクタによって接続するので、配線用回路基板は、前記コネクタにより駆動用回路基板に対して電気的に接続されると共に機械的にも支持される。従って、配線用回路基板の支持構造を簡単にすることができる。
請求項３記載の透明ディスプレイ構造体によれば、駆動用回路基板と制御用回路基板との間を、可撓性を有する接続体によって電気的に接続するので、透明ディスプレイ並びに駆動用回路基板を含む構成部分と制御用回路基板との配置関係を、その設置形態に適するように設定することができる。また、折りたたみ可能な構造の表示装置を構成することも可能となる。
【０００９】
請求項４記載の透明ディスプレイ構造体によれば、透明ディスプレイに、同一の透明電極について複数箇所に接続端子を設け、配線用回路基板との電気的接続を図る箇所が選択可能となるように構成する。従って、応用形態に適する構成となるように、同一構成の透明ディスプレイについてどの部分から配線用回路基板との電気的接続を図るかを適宜選択することができ、接続を図る箇所が異なるものに応じて透明ディスプレイを作り分ける必要がない。
【００１０】
請求項５記載の透明ディスプレイ表示装置によれば、請求項１乃至４の何れかに記載の透明ディスプレイ構造体を複数用いて構成し、各透明ディスプレイにおいて配線用回路基板との電気的接続が図られていない部分同士を対向させることで１表示画面を構成する。斯様な構成を採用すれば、複数の透明ディスプレイ構造体を組み合わせて、必要な大きさの表示画面を得ることができる。
【００１１】
請求項６記載の透明ディスプレイ表示装置によれば、複数の透明ディスプレイが対向する端面部分を、カバー構造によってカバーするので、前記端面部分が露出することで外観上の美観が低下することを防止できる。
請求項７記載の透明ディスプレイ表示装置によれば、カバー構造を、ガラスと略同一の屈折率を有する樹脂によって構成するので、透明ディスプレイがガラス基板のように透明性を有する材料を基材として用いている場合に、カバー構造によって覆われる部分の美観が低下することを効果的に防止できる。
【発明を実施するための最良の形態】
【００１２】
（第１実施例)
以下、本発明の第１実施例について図１乃至図６を参照して説明する。図５は、容量性のＥＬ素子である無機ＥＬ素子によって構成されるフラットパネルディスプレイのデバイス構造を示す断面図である。ＥＬディスプレイ（透明ディスプレイ）１は、ガラス基板２の上に、第１電極３、第１絶縁層４、発光層５、第２絶縁層６、第２電極７が真空蒸着又はスパッタリングなどにより順次積層されて構成されている。第１電極３と第２電極７とは、互いに直交する方向に形成されており、例えば、ＩＴＯ(Indium Tin Oxide)などの透明性を有する材質からなる。
【００１３】
発光層５は、例えばＺｎＳ，ＺｎＳｅ等の半導体材料で形成され、発光中心材料にＭｎを用いた場合は黄橙色、Ｔｂを用いた場合は緑色、Ｓｍを用いた場合は赤色の発光を生じるようになる。また、第１絶縁層４、第２絶縁層６は、ＴｉＯ2，ＡｌＯ3，ＳｉＯ2，Ｓｉ3Ｎ4などの誘電体からなる。これらの層の厚さ寸法は、ガラス基板２を除くと凡そ２μｍ程度である。また、耐湿保護のため、接着剤８を介してもう１枚のガラス基板９を張り合わせている。そして、複数の第１電極３と第２電極７とが交差する点に、ＥＬ素子１０がマトリクス状に形成されている。
【００１４】
図６は、ＥＬディスプレイ１を駆動制御する駆動制御部１１の電気的構成を示す機能ブロック図である。ＥＬディスプレイ１は、上述した第１電極３を走査電極（以下、走査電極３とする）、第２電極７をデータ電極（以下、データ電極７とする）としている。そして、走査電極３はロウドライバＩＣ（走査側駆動回路）１２によって駆動され、データ電極７はカラムドライバＩＣ（データ側駆動回路）１３によって駆動される。尚、ＥＬディスプレイ１においてｍ×ｎのマトリクスで配置されるＥＬ素子１０は、図７においてコンデンサのシンボルで示している。
【００１５】
ロウドライバＩＣ１２は、具体的には図示しないが、シフトレジスタ、出力制御回路、電圧出力部、電圧出力部を論理データに基づいて制御するレベルシフト回路などで構成されている。ロウドライバＩＣ１２は、フローティング状態の基準電位FGNDが切換えにより変動するように構成され、制御回路１４より出力される制御信号は、アイソレーション回路１５内部のフォトカプラなどによってレベル変換されるようになっている。
【００１６】
また、ロウドライバＩＣ１２によって出力されるパルス状の走査電圧は、電源回路１６より与えられる基準電位や各種電圧に基づいてロウコンポジット回路１７で生成されて供給される。そして、ロウドライバＩＣ１２は、ロウコンポジット回路１７より供給されるパルス状の交流電圧とアイソレーション回路１５を介して与えられる制御信号に基づいて、走査電極３に線順次走査電圧を出力する。走査電圧は、例えば−２００Ｖ，２５０Ｖの交流電圧として出力される。
【００１７】
一方、カラムドライバＩＣ１３も同様に、シフトレジスタ、出力制御回路、電圧出力部、電圧出力部を論理データに基づいて制御するレベルシフト回路などで構成されている。カラムドライバＩＣ１３によって出力されるパルス状のデータ電圧は、電源回路１６より与えられる基準電位や各種電圧に基づいてカラムコンポジット回路１８で生成されて供給される。そして、カラムドライバＩＣ１３は、カラムコンポジット回路１８より供給されるパルス状の電圧と制御回路１４より与えられる制御信号に基づいて、データ電極７にデータ電圧を出力する。そのデータ電圧は、約５０Ｖをハイレベル、０Ｖをロウレベルとして出力される。
【００１８】
ここで、走査電圧が２５０Ｖである場合、データ電圧として０Ｖが出力されるとＥＬ素子１０の両端に印加される合成電圧は２５０ＶとなりＥＬ素子１０は発光し、データ電圧として５０Ｖが出力されると合成電圧は２００ＶとなりＥＬ素子１０は発光しない。一方、走査電圧が−２００Ｖである場合、データ電圧として０Ｖが出力されるとＥＬ素子１０の両端に印加される合成電圧は２００ＶとなりＥＬ素子１０は発光せず、データ電圧として５０Ｖが出力されると合成電圧は２５０ＶとなりＥＬ素子１０は発光する。ここでは，ＥＬ素子が合成電圧２５０Ｖで発光，２００Ｖで非発光としたが，ＥＬが発光を開始する閾値電圧は，素子の膜厚，濃度等に依存するため，ＥＬ素子の発光特性により，印加電圧を調整する必要がある。
【００１９】
尚、後述するように、ロウドライバＩＣ１２、カラムドライバＩＣ１３は、実際の形態としては夫々２つに分割されており、ＩＣ１２Ａ及び１２Ｂ、ＩＣ１３Ａ及び１３Ｂで構成されている。
コントローラＩＣである制御回路１４には、外部より映像データ、垂直同期信号、水平同期信号、クロック（ＣＬＫ）信号が与えられ、それらの入力信号に基づいて各制御信号をアイソレーション回路１５、ロウコンポジット回路１７、カラムコンポジット回路１８に夫々出力する。また、アイソレーション回路１５には、回路グランドＧＮＤ及び制御電源ＶCCを渡している。
【００２０】
電源回路１６は、スイッチングレギュレータを備えてなるＤＣ−ＤＣコンバータ等で構成され、外部より与えられる直流電源ＶDDに基づいて＋Ｖrow（２５０Ｖ），−Ｖrow（−２００Ｖ），Ｖcol（約５０Ｖ）を生成し、ロウコンポジット回路１７，カラムコンポジット回路１８に夫々供給する。また、電源回路１６は、フローティング電位のＦ５Ｖとフローティング基準電位のFGNDをアイソレーション回路１５に渡している。
【００２１】
図１は、ＥＬディスプレイ構造体（透明ディスプレイ構造体）２１の構成を示すものであり、（ａ）は正面図、（ｂ）はＡ−Ａ’断面図、（ｃ）はＢ−Ｂ’断面図である。構造体２１は、主に表示パネル部２２と、メインボード（制御用回路基板）２３とで構成されている。表示パネル部２２は、ＥＬディスプレイ１、ロウドライバＩＣ１２Ａ及び１２Ｂ、カラムドライバＩＣ１３Ａ及び１３Ｂ、ロウドライバＩＣ１２Ａ及び１２Ｂと走査電極３との電気的接続を図るための配線用回路基板２４Ａ及び２４Ｂ，ＦＰＣ(Flexible Print Circuit board)２５Ａ，２５Ｂ、カラムドライバＩＣ１３Ａ及び１３Ｂとデータ電極７との電気的接続を図るためのＴＡＢテープ（配線用回路基板，駆動用回路基板）２６Ａ及び２６Ｂなどで構成されている。
【００２２】
矩形状に構成されているＥＬディスプレイ１は、図１中左右両側辺において走査電極３との電気的接続を行っている。ロウドライバＩＣ１２Ａ及び１２Ｂは、ロウ駆動用回路基板２７に搭載されており、ロウ駆動用回路基板２７と配線用回路基板２４Ａ及び２４Ｂとは、夫々基板対基板用のコネクタ２８Ａ（ａ，ｂ)及び２８Ｂ（ａ，ｂ）によって電気的及び機械的に接続されるようになっている。尚、図２には、コネクタ２８Ａ（ａ，ｂ)及び２８Ｂ（ａ，ｂ）を介して両者が接続される前の状態を示す。配線用回路基板２４Ａ及び２４ＢはＬ字状に屈曲しており、配線用回路基板２４Ａ及び２４Ｂと走査電極３との間はＦＰＣ２５Ａ及び２５Ｂによって接続されている。また、配線用回路基板２４Ａ及び２４Ｂは、多層配線基板として構成されている。基板２４Ａ及び２４Ｂを何層で構成するかは、配線を行う電極数と基板２４Ａ及び２４Ｂに要求される幅寸法とに応じて適宜決定すれば良い。
【００２３】
尚、ロウドライバＩＣ１２Ａ及び１２Ｂは、夫々ＥＬディスプレイ１の全走査電極３に対応する出力端子を備えており、走査電極３を駆動するように、コネクタ２８Ａ及び２８Ｂにおける接続が図られている。
一方、カラム用基板２９とデータ電極７との接続は、ＥＬディスプレイ１の図１中下辺側で行っており、両者間はＴＡＢ(Tape Automated Bonding)テープ２６Ａ及び２６Ｂを介して接続されている。そして、カラムドライバＩＣ１３Ａ及び１３Ｂは、そのＴＡＢテープ２６Ａ及び２６Ｂに実装され、ＴＣＰ(Tape Carrier Package)の形態をなしている。
【００２４】
尚、ＥＬディスプレイ１の機械的な支持構造については、例えば配線用回路基板２４Ａ及び２４ＢにＥＬディスプレイ１を取付けることで実現しても良いし、構造体２１を具体的な製品に組み付ける場合に、その製品の筐体などにＥＬディスプレイ１を固定支持するようにしても良い。
ここで、図３には、走査電極３及びデータ電極７と、ロウドライバＩＣ１２Ａ及び１２Ｂ、カラムドライバＩＣ１３Ａ及び１３Ｂとの実態的な配線形態を示す。ＥＬディスプレイ１の長手方向に渡る走査電極３については、その左端，右端の両側がロウドライバＩＣ１２Ａ及び１２Ｂの出力端子に接続されている。これは、走査電極の配線抵抗による輝度の低下や輝度むらを極力防止するためである。この場合、配線用回路基板２４Ａ及び２４Ｂを多層配線基板として構成したことで、斯様な配線形態を採用した場合に配線用回路基板２４Ａ及び２４Ｂの幅寸法が広くなってしまうことを抑止している。
【００２５】
メインボード２３には、制御回路１４、アイソレーション回路１５、電源回路１６、ロウコンポジット回路１７、カラムコンポジット回路１８などが搭載されている。そして、メインボード２３とロウ駆動用回路基板２７，カラム用基板２９との接続は、可撓性を有するＦＰＣ（接続体）３２，３３によって行われている。従って、表示パネル部２２とメインボード２３との間は、それらのＦＰＣ３２，３３部分で折り曲げることが可能となっている。以上がＥＬディスプレイ構造体２１を構成している。
図４は、ＥＬディスプレイ構造体２１を折りたたみ可能な透明表示器３４に適用した一例を示すものである。透明表示器３４の基部３５には、メインボード２３が収容されており、基部３５に対して、表示パネル部２２の下端側はヒンジ機構３６を介して基部３５に取付けられており、表示パネル部２２の上端側が回動可能となるように構成されている。
【００２６】
以上のように本実施例によれば、走査電極３とロウドライバＩＣ１２Ａ，１２Ｂとの接続を行う配線用回路基板２４Ａ及び２４Ｂを多層配線基板として構成した。従って、それらの配置形態を、ＥＬディスプレイ１の設置状態に応じて適宜選択することができ、構造の柔軟性を向上させることができる。そして、配線用回路基板２４Ａ及び２４Ｂの面積を小さくすることができ、構造体２１全体の配置面積に対してＥＬディスプレイ１により表示が行われる面積をより大きく確保することが可能となる。
【００２７】
また、ロウドライバＩＣ１２Ａ，１２Ｂが搭載されるロウ駆動用回路基板２７と配線用回路基板２４Ａ及び２４Ｂとの間を、基板対基板用のコネクタ２８Ａ，２８Ｂによって接続するので、配線用回路基板２４Ａ及び２４Ｂを、駆動用回路基板２８に対して電気的に接続すると共に機械的にも支持することができる。従って、構造体２１を例えば製品に組み込む場合に、配線用回路基板２４Ａ及び２４Ｂの支持構造を簡単にすることができる。
更に、駆動用回路基板２８とメインボード２３との間をＦＰＣ３２，３３によって電気的に接続するので、表示パネル部２２とメインボード２３との配置関係を、その設置形態に適するように設定することができる。また、図４に示したように、折りたたみ可能な構造の表示器３４を構成することも可能となる。
【００２８】
（第２実施例）
図７及び図８は本発明の第２実施例を示すものであり、第１実施例と同一部分には同一符号を付して説明を省略し、以下異なる部分についてのみ説明する。第２実施例では、基本的に第１実施例における透明ディスプレイ構造体２１と同様の構成を用い、図７に示すようにＦＰＣ３２，３３の長さを長くする。そして、その構造体２１を用いることで、図８に示す表示器４０を構成する。
【００２９】
表示器４０は、矩形板状の基部４１と、パネル支持部４２と、基部４１に立設されてパネル支持部４２を支持するための支柱４３とを備えている。基部４１には、メインボード２３を収納し、支柱４３の内部でＦＰＣ３２，３３を渡す。そして、パネル支持部４２は、表示パネル部２２の上端を除く部分をカバーして、表示パネル部２２を支持する構成となっている。以上によって、例えば表示パネル部２２に広告内容を表示するためのスタンド型表示器４０が構成されている。
【００３０】
（第３実施例）
図９及び図１０は本発明の第３実施例を示すものであり、第１実施例と同一部分には同一符号を付して説明を省略し、以下異なる部分についてのみ説明する。第３実施例でも、基本的に第１実施例における透明ディスプレイ構造体２１と同様の構成を用いるが、図９に示すようにＦＰＣ３２，３３の長さを短くし、その構造体２１を用いることで、図１０に示す卓上表示器４５を構成する。
【００３１】
表示器４５は、基部４６と、その基部４６の上方に配置されるパネル支持部４７と、それらを裏面において支持するための支持体４８とを備えている。基部４６には、メインボード２３を収納し、パネル支持部４７は、表示パネル部２２の上端を除く部分をカバーして、表示パネル部２２を支持する構成となっている。以上によって例えば表示パネル部２２に時刻を表示するための卓上表示器４５が構成されている。
【００３２】
（第４実施例）
図１１乃至図１３は本発明の第４実施例を示すものであり、第３実施例と同一部分には同一符号を付して説明を省略し、以下異なる部分についてのみ説明する。第４実施例では、第３実施例と略同様の構成の卓上表示器４８を構成するが、走査電極３との接続は、図１１中左側に配置される配線用回路基板２４Ａのみで行うようになっている。
【００３３】
図１３は、第１実施例における図３相当図である。この場合、ロウドライバＩＣ１２Ａ，１２Ｂが有している全ての出力端子が全ての走査電極３の左側のみに接続されるように、コネクタ２８Ａに代わる図示しないコネクタの接続形態が変更されている。以上がＥＬディスプレイ構造体４９を構成している。
そして、図１２に示すように、表示器４８は、基部４６の上方に配置されるパネル支持部５０の構成が表示パネル部２２の２辺のみをカバーする構成となっている。その他の構成は第３実施例と同様である。
【００３４】
また、図１３に示すように、ＥＬディスプレイ１の走査電極３及びデータ電極７は、その両端側に接続端子が設けられており、走査電極３の左端，右端、データ電極７の上端，下端の何れにおいて夫々のドライバ１２，１３の出力端子との接続を行うかは選択可能となっている。
以上のように第４実施例によれば、ＥＬディスプレイ１の走査電極３及びデータ電極７においてその両端側に接続端子を設け、配線用回路基板との電気的接続を図る箇所が選択可能となるように構成したので、応用形態に適する構成となるように接続を図る箇所が異なるものに応じてＥＬディスプレイ１を作り分ける必要がない。
【００３５】
（第５実施例）
図１４及び図１５は本発明の第５実施例を示すものであり、第４実施例と異なる部分についてのみ説明する。第５実施例の構成は基本的に第４実施例と同様であるが、走査電極３との電気的接続をＥＬディスプレイの１辺側より行う構成を利用して、ＥＬディスプレイに発生する場合がある輝度むらを解消するようにしたものである。即ち、図１４（ａ）に示すように、表示部の左側が比較的暗くなるような輝度むらを有しているＥＬディスプレイ５１については、図１４（ｂ）に示すように、第４実施例と同様に、配線用回路基板２４Ａを用い、その左辺側において電気的接続を行うようにする。以上がＥＬディスプレイ構造体５２を構成している。
【００３６】
一方、図１５（ａ）に示すように、表示部の右側が比較的暗くなるような輝度むらを有しているＥＬディスプレイ５３については、第４実施例とは逆に、配線用回路基板２４Ｂを用い、図１５（ｂ）に示すようにその右辺側において電気的接続を行うようにする。以上がＥＬディスプレイ構造体５４を構成している。このように、走査電極３に対する電気的接続の位置を決定することで、走査電極３が有する配線抵抗分の影響度合いの大小が加わり、輝度むらを解消することが可能となる。
【００３７】
尚、ＥＬディスプレイにおけるこのような輝度むらの発生は、ＥＬディスプレイの製造形態においてある程度想定される。即ち、１枚のガラス基板上において、複数のＥＬディスプレイを一括して形成する場合は、夫々のディスプレイを切り出す位置によって輝度むらの傾向をある程度定まる。従って、製造工程においてはその製造形態を考慮したり、または実際の表示状態を試験することでＥＬディスプレイの選別を行えば良い。
【００３８】
（第６実施例）
図１６及び図１７は本発明の第６実施例を示すものであり、第５実施例と異なる部分についてのみ説明する。第６実施例の構成は、図１６に示すように、第５実施例と同様にして輝度むらの解消を図った２つのＥＬディスプレイ構造体５２、５４を用い、両者を左右に並置することで１つの表示画面をなすＥＬディスプレイ表示装置５５を構成したものである。
【００３９】
この場合、図１７に示すように、パネル支持部５６は、構造体５２，５４夫々の表示パネル部５７，５８を一括して支持するように構成されている。そして、表示パネル部５７，５８が対向する部分には、ガラスと略同一の屈折率をする樹脂などで形成したカバー構造５９を取付けている。そして、夫々の表示パネル部５７，５８は、１画面表示の左半分、右半分を夫々担当して表示するように、図示しない統括制御部により夫々の駆動制御部に画像表示データが与えられる。
【００４０】
以上のように第６実施例によれば、２つのＥＬディスプレイ構造体５２、５４を用いて１つの表示画面をなすＥＬディスプレイ表示装置５５を構成した。従って、必要な大きさの表示画面を得ることができる。そして、表示パネル部５７，５８が対向する部分に、ガラスと略同一の屈折率をする樹脂などで形成したカバー構造５９を取付けたので、夫々の端面部分が露出することで外観上の美観が低下することを効果的に防止できる。
【００４１】
（第７実施例）
図１８及び図１９は本発明の第７実施例を示すものであり、第５，第６実施例と異なる部分についてのみ説明する。第７実施例の構成は、図１８に示すように、第５実施例と同様にして輝度むらの解消を図った４つのＥＬディスプレイ構造体６０〜６３を用い、１つの表示画面をなすＥＬディスプレイ表示装置６４を構成したものである。即ち、第５実施例におけるＥＬディスプレイ表示装置５５を２つ組み合わせたような形態となっている。
【００４２】
この場合、４つのＥＬディスプレイ構造体６０〜６３の夫々において端面が露出している部分を対向させるように配置している。この場合、図１９に示すように、パネル支持部６５は、構造体６０〜６３夫々の表示パネル部６６〜６９を一括して支持するように構成されている。そして、各表示パネル部６６〜６９が対向する部分には、第６実施例と同様に、ガラスと略同一の屈折率を有する樹脂などで十字型に形成したカバー構造７０を取付けている。そして、夫々の表示パネル部６６〜６９は、１画面表示の１／４を夫々担当して表示するように、図示しない統括制御部によって夫々の駆動制御部に画像表示データが与えられる。
以上のように構成された第７実施例によれば、より大きな表示画面を有する表示装置６４を提供することができる。
【００４３】
本発明は上記し且つ図面に記載した実施例にのみ限定されるものではなく、以下のような変形又は拡張が可能である。
第１実施例において、ロウドライバＩＣ１２Ａ，１２Ｂの出力端子数は、第１実施例において駆動する走査電極３の数だけであっても良いことは勿論である。
【００４４】
ＥＬディスプレイの電極について、配線用基板との接続を行う箇所を予め１箇所に定めて構成しても良い。
ＥＬディスプレイ１に限ることなく、非表示の場合に略透明となるように構成されるディスプレイであれば適用が可能である。
カラムドライバＩＣ１３Ａ及び１３Ｂの配線形態は、ＴＣＰ意外であっても良く、ロウ側と同様の構成にしても良い。
【００４５】
カラム側の配線用回路基板も、必要に応じて多層配線基板で構成しても良い。
表示パネル部２２とメインボード２３との接続は、ＦＰＣ３２，３３によるものに限らず、フラットケーブルや配線用基板を用いて行っても良い。
ディスプレイの形状は、矩形のものに限ることなく、外縁が曲線で構成されているものであっても良い。
【００４６】
カバー構造は、ガラスと略同一の屈折率を有する樹脂を用いるものに限らず、ある程度の透明性を有する樹脂や接着剤などを用いても良い。
また、第６、第７実施例において、カバー構造５９，７０は、表示装置５５，６４について外観上の問題があるような場合に必要に応じて設ければ良い。
【図面の簡単な説明】
【００４７】
【図１】本発明の第１実施例であり、ＥＬディスプレイ構造体の構成を示すもので、（ａ）は正面図、（ｂ）はＡ−Ａ'断面図、（ｃ）はＢ−Ｂ'断面図
【図２】駆動用回路基板と配線用回路基板とが、基板対基板用のコネクタを介して接続される前の状態を示す図
【図３】走査電極及びデータ電極と、ロウドライバＩＣ、カラムドライバＩＣとの実態的な配線形態を示す図
【図４】ＥＬディスプレイ構造体を、折りたたみ可能な透明表示器に適用した一例を示す図
【図５】無機ＥＬ素子によって構成されるフラットパネルディスプレイのデバイス構造を示す断面図
【図６】ＥＬディスプレイを駆動制御する駆動制御部の電気的構成を示す機能ブロック図
【図７】本発明の第２実施例を示すＥＬディスプレイ構造体の側面図
【図８】（ａ）はスタンド型表示器の正面図、(ｂ）は同側面図
【図９】本発明の第３実施例を示す図１（ａ）相当図
【図１０】（ａ）は卓上型表示器の正面図、(ｂ）は同側面図
【図１１】本発明の第４実施例を示す図９相当図
【図１２】図１０（ａ）相当図
【図１３】図３相当図
【図１４】本発明の第５実施例であり、（ａ）は左から右にかけて明るくなる輝度むらを有するＥＬディスプレイ、（ｂ）は（ａ）のＥＬディスプレイを用いた場合の図１１相当図
【図１５】（ａ）は左から右にかけて暗くなる輝度むらを有するＥＬディスプレイ、（ｂ）は（ａ）のＥＬディスプレイを用いた場合の図１１相当図
【図１６】本発明の第６実施例であり、図１４（ａ）及び図１５(ａ）相当図
【図１７】図１６に示すＥＬディスプレイ構造体を用いて構成した表示装置を示す図
【図１８】本発明の第７実施例を示す図１６相当図
【図１９】図１７相当図
【符号の説明】
【００４８】
図面中、１はＥＬディスプレイ（透明ディスプレイ）、３は走査電極（透明電極）、７はデータ電極（透明電極）、１２はロウドライバＩＣ（走査側駆動回路）、１３はカラムドライバＩＣ（データ側駆動回路）、２１はＥＬディスプレイ構造体（透明ディスプレイ構造体）、２３はメインボード（制御用回路基板）、２４Ａ及び２４Ｂは配線用回路基板、２６Ａ及び２６ＢはＴＡＢテープ（配線用回路基板，駆動用回路基板）、２７はロウ駆動用回路基板、２８Ａ及び２８Ｂはコネクタ、３２，３３はＦＰＣ（接続体）、４９，５２，５４はＥＬディスプレイ構造体（透明ディスプレイ構造体）、５１，５３はＥＬディスプレイ（透明ディスプレイ）、５５はＥＬディスプレイ表示装置（透明ディスプレイ表示装置）、５９はカバー構造、６０〜６３はＥＬディスプレイ構造体、６４はＥＬディスプレイ表示装置（透明ディスプレイ表示装置）を示す。
【図１】
2005107445.tif 000003
【図２】
2005107445.tif 000004
【図３】
2005107445.tif 000005
【図４】
2005107445.tif 000006
【図５】
2005107445.tif 000007
【図６】
2005107445.tif 000008
【図７】
2005107445.tif 000009
【図８】
2005107445.tif 000010
【図９】
2005107445.tif 000011
【図１０】
2005107445.tif 000012
【図１１】
2005107445.tif 000013
【図１２】
2005107445.tif 000014
【図１３】
2005107445.tif 000015
【図１４】
2005107445.tif 000016
【図１５】
2005107445.tif 000017
【図１６】
2005107445.tif 000018
【図１７】
2005107445.tif 000019
【図１８】
2005107445.tif 000020
【図１９】
2005107445.tif 000021